(57)【要約】  【課題】  使用者の利便性を向上できる記録再生装置を提供する。  【解決手段】  放送を受信してＤＶＤやＨＤＤ等の記録媒体に録画を行う記録再生装置１において、録画の開始位置と終了位置及び番組とＣＭとが切り替わった位置をチャプタの区切りとして記憶する区切り手段と、区切り間の各チャプタの録画時間を検知する時間検知手段と、記録開始から奇数番目のチャプタの合計時間と偶数番目のチャプタの合計時間とを比較する比較手段と、奇数番目のチャプタの合計時間が長いときに奇数番目のチャプタのみの位置情報から成るプレイリストを作成するとともに偶数番目のチャプタの合計時間が長いときに偶数番目のチャプタのみの位置情報から成るプレイリストを作成するプレイリスト作成手段と、プレイリストに記録される位置情報に対応するチャプタを抽出して再生する再生手段とを備えた。【選択図】      図２
2006216111.tif 000002
【特許請求の範囲】
【請求項１】
放送を受信して記録媒体に録画を行う記録再生装置において、録画の開始位置と終了位
置及び番組とＣＭとが切り替わった位置をチャプタの区切りとして記憶する区切り手段と
、前記区切り間の各チャプタの録画時間を検知する時間検知手段と、記録開始から奇数番
目のチャプタの合計時間と偶数番目のチャプタの合計時間とを比較する比較手段と、奇数
番目のチャプタの合計時間が長いときに奇数番目のチャプタのみの位置情報から成るプレ
イリストを作成するとともに偶数番目のチャプタの合計時間が長いときに偶数番目のチャ
プタのみの位置情報から成るプレイリストを作成するプレイリスト作成手段と、プレイリ
ストに記録される位置情報に対応するチャプタを抽出して再生する再生手段とを備えたこ
とを特徴とする記録再生装置。
【請求項２】
放送を受信して記録媒体に録画を行う記録再生装置において、録画の開始位置と終了位
置及び番組とＣＭとが切り替わった位置を区切りとして記憶する区切り手段と、前記区切
り間の各区間の録画時間を検知する時間検知手段と、記録開始から奇数番目の区間の合計
時間と偶数番目の区間の合計時間とを比較する比較手段と、奇数番目の区間の合計時間が
長いときに奇数番目の区間のみの位置情報から成るプレイリストを作成するとともに偶数
番目の区間の合計時間が長いときに偶数番目の区間のみの位置情報から成るプレイリスト
を作成するプレイリスト作成手段と、プレイリストに記録される位置情報に対応する区間
を抽出して再生する再生手段とを備えたことを特徴とする記録再生装置。
【請求項３】
使用者の操作により所望の位置を前記区切りとして記憶する手動区切り手段を備えたこ
とを特徴とする請求項１または請求項２に記載の記録再生装置。
【請求項４】
番組とＣＭとが切り替わった位置を音声モードの変化により検出することを特徴とする
請求項１〜請求項３のいずれかに記載の記録再生装置。
【請求項５】
番組とＣＭとが切り替わった位置を音声信号の無音声部分により検出することを特徴と
する請求項１〜請求項３のいずれかに記載の記録再生装置。
【発明の詳細な説明】
【技術分野】
【０００１】
本発明は、放送を録画する記録再生装置に関し、特に、所望のプレイリストを作成して
再生できる記録再生装置に関する。
【背景技術】
【０００２】
放送を記録媒体に録画する従来の記録再生装置は特許文献１に開示されている。この記
録再生装置は録画された放送のＣＭをカットして再生する機能を有している。放送にはビ
デオ信号と音声信号とが含まれ、音声信号はモノラルモード、二カ国語モード、ステレオ
モード等の音声モードを有している。放送に含まれる番組中の音声モードはモノラルモー
ドまたは二カ国語モードの場合が多く、ＣＭ中の音声モードはステレオモードになってい
る。
【０００３】
放送を録画すると音声モードが切り替ったことを検知し、その位置を区切りとして区切
りの位置情報が記録される。録画が終了すると各区切り間の区間からＣＭ部分に該当する
区間を省いたプレイリストが作成される。プレイリストは各区切りの位置情報から成り、
再生時にはオリジナルの録画からプレイリストに記録される位置情報の区間が順に取り出
される。これにより、ＣＭカットして番組を視聴することができる。ＣＭに該当する区間
か否かは各区間の時間が５分よりも短く、３０秒で割り切れる場合にその区間をＣＭと判
断するようになっている。
【特許文献１】特開２００１−８６４６８号公報（第５頁−第７頁、第１図）
【発明の開示】
【発明が解決しようとする課題】
【０００４】
しかしながら、上記従来の記録再生装置によると、番組の一区間の長さが５分よりも短
く、３０秒で割り切れる場合にはＣＭと判断され、番組の区間がプレイリストに含まれな
い。また、ＣＭの長さが５分よりも長い場合や３０秒で割り切れない場合は番組と判断さ
れ、ＣＭの区間がプレイリストに含まれる。従って、ＣＭカットして番組を視聴する目的
が達せられず使用者にとって不便となる問題があった。
【０００５】
本発明は、使用者の利便性を向上できる記録再生装置を提供することを目的とする。
【課題を解決するための手段】
【０００６】
上記目的を達成するために本発明は、放送を受信して記録媒体に録画を行う記録再生装
置において、録画の開始位置と終了位置及び番組とＣＭとが切り替わった位置をチャプタ
の区切りとして記憶する区切り手段と、前記区切り間の各チャプタの録画時間を検知する
時間検知手段と、記録開始から奇数番目のチャプタの合計時間と偶数番目のチャプタの合
計時間とを比較する比較手段と、奇数番目のチャプタの合計時間が長いときに奇数番目の
チャプタのみの位置情報から成るプレイリストを作成するとともに偶数番目のチャプタの
合計時間が長いときに偶数番目のチャプタのみの位置情報から成るプレイリストを作成す
るプレイリスト作成手段と、プレイリストに記録される位置情報に対応するチャプタを抽
出して再生する再生手段とを備えたことを特徴としている。
【０００７】
この構成によると、放送を録画すると音声モードの切り替わり等を検知してその位置を
チャプタの区切りとして区切り手段により記録する。録画が終了すると各区切り間のチャ
プタの時間が時間検知手段により検知される。録画開始から順に計数して奇数番目のチャ
プタの合計時間と、偶数番目のチャプタの合計時間が比較手段により比較され、合計時間
の多い方のチャプタから成るプレイリストがプレイリスト作成手段により作成される。再
生時には再生手段によってオリジナルの録画からプレイリストに記録されるチャプタが順
に取り出され、ＣＭカットして番組が視聴される。
【０００８】
また本発明は、上記構成の記録再生装置において、放送を受信して記録媒体に録画を行
う記録再生装置において、録画の開始位置と終了位置及び番組とＣＭとが切り替わった位
置を区切りとして記憶する区切り手段と、前記区切り間の各区間の録画時間を検知する時
間検知手段と、記録開始から奇数番目の区間の合計時間と偶数番目の区間の合計時間とを
比較する比較手段と、奇数番目の区間の合計時間が長いときに奇数番目の区間のみの位置
情報から成るプレイリストを作成するとともに偶数番目の区間の合計時間が長いときに偶
数番目の区間のみの位置情報から成るプレイリストを作成するプレイリスト作成手段と、
プレイリストに記録される位置情報に対応する区間を抽出して再生する再生手段とを備え
たことを特徴としている。
【０００９】
この構成によると、放送を録画すると音声モードが切り替わり等を検知してその位置を
区切りとして区切り手段により記録する。録画が終了すると各区切り間の区間の時間が時
間検知手段により検知される。録画開始から順に計数して奇数番目の区間の合計時間と、
偶数番目の区間の合計時間が比較手段により比較され、合計時間の多い方の区間から成る
プレイリストがプレイリスト作成手段により作成される。再生時には再生手段によってオ
リジナルの録画からプレイリストに記録される区間が順に取り出され、ＣＭカットして番
組が視聴される。
【００１０】
また本発明は、上記構成の記録再生装置において、使用者の操作により所望の位置を前
記区切りとして記憶する手動区切り手段を備えたことを特徴としている。この構成による
と、手動区切り手段の操作によって使用者の所望の位置に区切りを設けることができる。
【００１１】
また本発明は、上記構成の記録再生装置において、番組とＣＭとが切り替わった位置を
音声モードの変化により検出することを特徴としている。
【００１２】
また本発明は、上記構成の記録再生装置において、番組とＣＭとが切り替わった位置を
音声信号の無音声部分により検出することを特徴としている。
【発明の効果】
【００１３】
本発明によると、録画開始から奇数番目のチャプタの合計時間と偶数番目のチャプタの
合計時間とを比較して長い方のチャプタのみから成るプレイリストを作成するので、ＣＭ
を確実にカットし、番組のみを再生して視聴することができる。従って、使用者の利便性
を向上させることができる。また、チャプタ毎に番組を送ったり戻したりして視聴するこ
とできる。
【００１４】
また本発明によると、録画開始から奇数番目の区間の合計時間と偶数番目の区間の合計
時間とを比較して長い方の区間のみから成るプレイリストを作成するので、ＣＭを確実に
カットし、番組のみを再生して視聴することができる。従って、使用者の利便性を向上さ
せることができる。
【００１５】
また本発明によると、使用者の操作により所望の位置を区切りとして記憶する手動区切
り手段を備えたので、ＣＭの開始または終了位置を誤認識した際に修正することができる
。
【００１６】
また本発明によると、番組とＣＭとが切り替わった位置を音声モードの変化により容易
に検出することができる。
【００１７】
また本発明によると、番組とＣＭとが切り替わった位置を音声信号の無音声部分により
容易に検出することができる。
【発明を実施するための最良の形態】
【００１８】
以下に本発明の実施形態を図面を参照して説明する。図１は一実施形態の記録再生装置
であるＨＤＤレコーダの構成を示すブロック図である。ＨＤＤレコーダ１は各部を制御す
るＣＰＵ２を有している。ＣＰＵ２には電源ユニット３、チューナ４、デコーダ５、ＨＤ
Ｄ６、ＭＰＥＧコーデック部７、フロントパネル８、赤外線受光部９が接続される。
【００１９】
電源ユニット３はＣＰＵ２を介して各部に電源を供給する。チューナ４はＨＤＤレコー
ダ１に接続されるアンテナ（不図示）を介して受信した放送電波を分波し、音声信号及び
ビデオ信号を出力する。デコーダ５は音声信号及びビデオ信号をデジタル信号に変換する
。ＭＰＥＧコーデック部７はデジタル信号をＭＰＥＧ規格のデータに圧縮する。ＨＤＤ６
はデジタルデータを記憶する。
【００２０】
フロントパネル８はＨＤＤレコーダ１の前面に設けられ、使用者の操作を行うとともに
動作状態を表示する。赤外線受光部９はリモートコントローラ（不図示）の操作信号を受
信する。また、ＨＤＤレコーダ１の動作プログラムの格納やＣＰＵ２による演算結果の一
時記憶を行うメモリ（不図示）が設けられている。
【００２１】
フロントパネル８またはリモートコントローラの操作により録画を開始すると、アンテ
ナで受信したテレビ放送電波がチューナにより分波され、音声信号及びビデオ信号が出力
される。音声信号及びビデオ信号はデコーダ５によりデジタル信号に変換され、ＭＰＥＧ
コーデック部７でＭＰＥＧ規格のデータに圧縮してＨＤＤ６に記録される。これにより、
放送の録画が行われる。
【００２２】
フロントパネル８またはリモートコントローラの操作により録画した放送の再生を開始
すると、ＨＤＤ６から録画した圧縮データが取り出される。取り出した圧縮データはＭＰ
ＥＧコーデック部７で展開され、エンコード部（不図示）で音声信号及びビデオ信号に変
換して出力される。これにより、録画した放送を視聴することができる。
【００２３】
また、録画と同時にＣＭカットされたプレイリストがＨＤＤ６に記憶される。図２はこ
の動作を示すフローチャートである。録画を開始するとステップ＃１１で録画開始位置の
位置情報が記憶され、図３に示すように録画開始位置にエントリポイントｅ１が付与され
る。
【００２４】
ステップ＃１２では音声信号の音声モードが切り替ったか否かが判断される。音声信号
はモノラルモード、二カ国語モード、ステレオモード等の音声モードを有している。放送
に含まれる番組中の音声モードはモノラルモードまたは二カ国語モードの場合が多く、Ｃ
Ｍ中の音声モードはステレオモードになっている。このため、音声モードが切り替ったか
否かにより放送中に含まれるＣＭの開始位置または終了位置を検出することができる。
【００２５】
音声モードが切り替ったことを検出した場合は、ステップ＃１１に戻って録画中の現在
の位置情報が記憶され、現在位置にエントリポイントが付与される。音声モードが切り替
ったことを検出しない場合は、ステップ＃１３で録画が終了したか否かが判断される。録
画が終了しない場合はステップ＃１２に戻ってステップ＃１２、＃１３が繰り返し行われ
る。
【００２６】
これにより、録画が終了するまでの間に音声モードが切り替った位置にエントリポイン
トｅ２、ｅ３、・・・（図３参照）が付与される。録画が終了した場合は、ステップ＃１
４で録画終了位置の位置情報が記憶され、録画終了位置にエントリポイントが付与される
。尚、図３は録画開始時に番組が放送中の場合を示している。録画開始時にＣＭが放送中
の場合は図４に示すようにエントリポイントｅ１、ｅ２、ｅ３、・・・が付与される。
【００２７】
図３、図４に示すように、各エントリポイントｅ１、ｅ２、・・・間は順に第１番目の
チャプタ、第２番目のチャプタ、第３番目のチャプタ、・・・となる。従って、ステップ
＃１１〜＃１４は音声モードが切り替った位置をチャプタの区切りとして記憶する区切り
手段を構成する。再生時にはチャプタの送りや戻しの操作によってチャプタ毎に飛ばして
視聴することができるようになっている。
【００２８】
ステップ＃１５では各エントリポイントｅ１、ｅ２、・・・間の各チャプタの時間が検
出される（時間検知手段）。ステップ＃１６では録画開始から奇数番目のチャプタ（以下
、「奇数チャプタ」という）の録画時間が合計される。ステップ＃１７では録画開始から
偶数番目のチャプタ（以下、「偶数チャプタ」という）の録画時間が合計される。
【００２９】
ステップ＃１８では、奇数チャプタの合計時間が偶数チャプタの合計時間よりも長いか
否かが判断される（比較手段）。奇数チャプタの合計時間が長い場合はステップ＃１９に
移行して奇数チャプタのみの位置情報から成るプレイリストが作成される。偶数チャプタ
の合計時間が長い場合はステップ＃２０に移行して偶数チャプタのみの位置情報から成る
プレイリストが作成される。そして、作成されたプレイリストがステップ＃２１でＨＤＤ
６に記憶される。
【００３０】
通常の放送では番組の合計時間は番組間に放送されるＣＭの合計時間よりも長い。従っ
て、ステップ＃１９〜＃２１により、ＣＭをカットした番組のみのプレイリストを作成す
るプレイリスト作成手段が構成される。
【００３１】
ＨＤＤレコーダ１の再生時には、作成されたプレイリストが所定の操作によりＨＤＤ６
から呼び出される。呼び出されたプレイリストに記憶される位置情報に基づいてオリジナ
ルの録画から番組部分を抽出して再生することができる。
【００３２】
また、フロントパネル８またはリモートコントローラの操作によって所望の位置をチャ
プタの区切りとして記憶できるようになっている。この時、所定の操作によってステップ
＃１５〜＃２１を行って、プレイリストを作成することができる。従って、番組とＣＭと
の間に音声モードが切り替らなかった場合や誤認識した場合等に手動操作によってチャプ
タの区切りを付与して番組のみのプレイリストを作成することができる。
【００３３】
本実施形態において、番組とＣＭとが切り替わった位置を音声モードが切り替ったこと
により検出しているが、他の方法でもよい。例えば、番組とＣＭとが切り替わる際に音声
信号には数１００ｍｓｅｃの無音声部分が形成されることが知られている。このため、音
声信号の無音声部分を検知して番組とＣＭとが切り替わった位置を検出してもよい。
【００３４】
また、番組とＣＭとが切り替わった位置をチャプタの区切りとして記憶しているが、チ
ャプタとは関係のない区切りの位置情報を録画時に記憶して録画終了時に各区切り間の区
間のプレイリストを作成してもよい。即ち、録画開始から奇数番目の区間の合計時間と偶
数番目の区間の合計時間とを比較して長い方の区間のみの位置情報から成るプレイリスト
が作成される。
【００３５】
また、本実施形態において、ＨＤＤに録画するＨＤＤレコーダーについて説明している
が、ＤＶＤ、ＨＤ  ＤＶＤ、ブルーレイディスク等の他の記録媒体に録画する記録再生装
置であってもよい。
【産業上の利用可能性】
【００３６】
本発明によると、記録媒体に放送を録画して再生するＤＶＤレコーダー、ＨＤＤレコー
ダー等の記録再生装置に利用することができる。
【図面の簡単な説明】
【００３７】
【図１】本発明の実施形態のＨＤＤレコーダの構成を示すブロック図
【図２】本発明の実施形態のＨＤＤレコーダの録画時の動作を示すフローチャート
【図３】本発明の実施形態のＨＤＤレコーダの録画時に形成されるチャプターを示す図
【図４】本発明の実施形態のＨＤＤレコーダの録画時に形成されるチャプターを示す図
【符号の説明】
【００３８】
１    ＨＤＤレコーダ
２    ＣＰＵ
３    電源ユニット
４    チューナ
５    デコーダ
６    ＨＤＤ
７    ＭＰＥＧコーデック部
８    フロントパネル
９    赤外線受光部
【図１】
2006216111.tif 000003
【図２】
2006216111.tif 000004
【図３】
2006216111.tif 000005
【図４】
2006216111.tif 000006